(57)【要約】【課題】吊荷作業用のフックを収納するフック収納部が設けられたフック収納部付バケットリンクにおいて、フック収納部に収納されたフックを、ガタの無い状態で簡単に固定できるようにする。【解決手段】フック１１を固定する固定装置２７を、バケットリンク１５に止着される弾性体２８と、フック１１の鉤部２６に係合するフック係合部が形成され、該フック係合部に係合された鉤部２６を前記弾性体２８に押圧することで鉤部２６を保持固定するカム体２９と、該鉤部２６を保持固定するカム体２９に係止するラッチ３０とを用いて構成した。【選択図】図２
2007161357.tif 000002
【特許請求の範囲】
【請求項１】
一端側がバケットシリンダに揺動自在に連結され、他端側がバケットに揺動自在に連結されるバケットリンクに、吊荷作業用のフックを収納するフック収納部を設けてなるフック収納部付バケットリンクにおいて、該バケットリンクに、フック収納部に収納されたフックを固定する固定装置を設けるにあたり、該固定装置は、
バケットリンクに止着される弾性体と、
フックの鉤部に係合するフック係合部が形成されると共に、該フック係合部に鉤部を係脱自在に係合することができる解除姿勢と、フック係合部に係合された鉤部を前記弾性体に押圧することで鉤部を保持固定する固定姿勢とに揺動自在なカム体と、
前記固定姿勢のカム体に係止してカム体を固定姿勢に保持するラッチとを用いて構成されることを特徴とするフック収納部付バケットリンク。
【請求項２】
カム体は、解除姿勢のカム体を固定姿勢に揺動するべく操作される固定用ハンドルを備えることを特徴とする請求項１に記載のフック収納部付バケットリンク。
【請求項３】
固定用ハンドルは、カム体の揺動支軸に対し、フック係合部よりも外径側に位置するように設けられることを特徴とする請求項２に記載のフック収納部付バケットリンク。
【請求項４】
カム体を、解除姿勢側に付勢する弾機を設けたことを特徴とする請求項１乃至３の何れか一項に記載のフック収納部付バケットリンク。
【請求項５】
フックは、バケットとバケットリンクとを揺動自在に連結する支軸に、吊荷作業を行う作業位置とフック収納部に収納される収納位置とに移動自在に軸承されると共に、解除姿勢のカム体のフック係合部は、前記作業位置から収納位置に移動するフックの鉤部の移動軌跡上に位置するように設定されることを特徴とする請求項１乃至４の何れか一項に記載のフック収納部付バケットリンク。
【請求項６】
ラッチは、固定姿勢のカム体に係止するロック姿勢と係止しない非ロック姿勢とに揺動自在に構成されると共に、ロック姿勢のラッチを非ロック姿勢に揺動するべく操作される解除用ハンドルを設けたことを特徴とする請求項１乃至５の何れか一項に記載のフック収納部付バケットリンク。
【請求項７】
解除用ハンドルは、ラッチの揺動支軸を介してラッチに一体的に連結されると共に、該揺動支軸に対し、カム体への係止部位よりも外径側に位置するように設けられることを特徴とする請求項６に記載のフック収納部付バケットリンク。
【請求項８】
ラッチを、ロック姿勢側に付勢する弾機を設けたことを特徴とする請求項６または７に記載のフック収納部付バケットリンク。
【請求項９】
バケットリンクは、左右のリンク側板と、該左右のリンク側板同士を連結するリンク底面板とを用いて構成されると共に、フック収納部は、これら左右のリンク側板とリンク底面板とによって形成される空間部からなり、さらにフックは、前記リンク底面板に対して倒伏する姿勢でフック収納部に収納されることを特徴とする請求項１乃至８の何れか一項に記載のフック収納部付バケットリンク。
【発明の詳細な説明】
【技術分野】
【０００１】
本発明は、バケットとバケットシリンダとを連結するバケットリンクに、吊荷作業用のフックを収納するためのフック収納部を設けたフック収納部付バケットリンクの技術分野に属するものである。
【背景技術】
【０００２】
一般に、油圧ショベル等の掘削作業や運搬作業を行う建設機械に、比較的軽量の吊荷作業を行うべくクレーン機能を持たせたものがある。このものには、吊荷を吊り下げるためのフックが設けられるが、吊荷作業以外の他の作業を行う場合に、フックが他の作業の邪魔になることを防止すると共にフックの保護を図るべく、バケットとバケットシリンダとを連結するバケットリンクに、不使用時のフックを収納するためのフック収納部を設けたフック収納部付バケットリンクが、従来から知られている。
ところで、前記バケットリンクのフック収納部に収納されたフックは、他の作業中に飛び出したりガタついたりしないように固定する必要があり、そこで従来、フックの鉤部内径側に挿嵌される固定ピンと、該固定ピンの抜け止めをする抜け止めピンとを用いてフックを固定するようにしていた（例えば、特許文献１参照。）。
しかるにこのものは、固定ピンや抜け止めピンの抜き差し作業が必要であって、煩わしく、作業性に劣るという問題があった。また、この様な固定ピンによる固定では、フックのガタつきを防止することはできず、騒音やフック損傷の原因となる惧れがある。
一方、収納されたフックを固定する進出位置と、フックの移動を許容する退出位置とに進退可能なラッチ部材を設けると共に、フックをフック収納部に収納させることに伴い、ラッチ部材が自動的に退出位置から進出位置に変位してフックを固定するように構成した技術が提唱されている（例えば、特許文献２参照。）。このものでは、前述した固定ピンや抜け止めピンの抜き差し作業を必要としないため、作業性の向上を期待できる。
【特許文献１】特開２０００−９５４７５号公報
【特許文献２】特開２００１−２２６０７８号公報
【発明の開示】
【発明が解決しようとする課題】
【０００３】
しかるに、前記特許文献２のものにおいて、フックは、バケットリンクを形成する閉塞板とラッチ部材とのあいだに固定されることになるが、この場合、閉塞板とラッチ部材との間の寸法を、フックの太さに対して余裕を持って設定しないと、ラッチ部材の進退移動がスムーズにいかない惧れがある。このため、前記寸法を余裕を持って設定することになるが、その分、フックとラッチ部材あるいはフックと閉塞板とのあいだに隙間が生じてフックがガタつくことになり、而して、前述した固定ピンによる固定の場合と同様に、フックのガタつきを防止できないという問題がある。
また、このものにおいて、フックは、バケットリンクを形成する左右のリンク側板同士を連結する閉塞板に対して、フックの鉤部が起立する姿勢で収納されている。このため、フックをバケットリンクのフック収納部内に収納するには、左右のリンク側板の高さ寸法を、起立姿勢で収納された鉤部の高さ以上に設定する必要があり、而して、リンク側板を大型化せざるをえず、重量も重くなってしまうという問題があり、これらに本発明が解決しようとする課題がある。
【課題を解決するための手段】
【０００４】
本発明は、上記の如き実情に鑑みこれらの課題を解決することを目的として創作されたものであって、請求項１の発明は、一端側がバケットシリンダに揺動自在に連結され、他端側がバケットに揺動自在に連結されるバケットリンクに、吊荷作業用のフックを収納するフック収納部を設けてなるフック収納部付バケットリンクにおいて、該バケットリンクに、フック収納部に収納されたフックを固定する固定装置を設けるにあたり、該固定装置は、バケットリンクに止着される弾性体と、フックの鉤部に係合するフック係合部が形成されると共に、該フック係合部に鉤部を係脱自在に係合することができる解除姿勢と、フック係合部に係合された鉤部を前記弾性体に押圧することで鉤部を保持固定する固定姿勢とに揺動自在なカム体と、前記固定姿勢のカム体に係止してカム体を固定姿勢に保持するラッチとを用いて構成されることを特徴とするフック収納部付バケットリンクである。
そして、この様にすることにより、固定姿勢のカム体のフック係合部に係合された鉤部は、弾性体に押圧されることで確実に保持固定されることになり、而して、掘削等の作業を行うような場合にフック収納部に収納されたフックがガタつくことなく、ガタつきに起因する騒音やフックの損傷を確実に防止することができる。
請求項２の発明は、カム体は、解除姿勢のカム体を固定姿勢に揺動するべく操作される固定用ハンドルを備えることを特徴とする請求項１に記載のフック収納部付バケットリンクである。
そして、この様にすることにより、固定用ハンドルによってカム体を解除姿勢から固定姿勢に揺動させるだけの簡単な操作で鉤部の保持固定を行えることになって、フックの固定作業を簡単且つ短時間で行うことができ、作業性の向上に大きく貢献できる。
請求項３の発明は、固定用ハンドルは、カム体の揺動支軸に対し、フック係合部よりも外径側に位置するように設けられることを特徴とする請求項２に記載のフック収納部付バケットリンクである。
そして、この様にすることにより、カム体を固定姿勢にするための固定用ハンドルの揺動操作は、鉤部を弾性体に押圧するものであっても、軽い操作力で行うことができる。
請求項４の発明は、カム体を、解除姿勢側に付勢する弾機を設けたことを特徴とする請求項１乃至３の何れか一項に記載のフック収納部付バケットリンクである。
そして、この様にすることにより、カム体は、ラッチによる固定姿勢保持が解除されることに伴い自動的に解除姿勢に復帰することになり、もって、カム体を解除姿勢に戻す操作を必要とせず、操作性に優れる。
請求項５の発明は、フックは、バケットとバケットリンクとを揺動自在に連結する支軸に、吊荷作業を行う作業位置とフック収納部に収納される収納位置とに移動自在に軸承されると共に、解除姿勢のカム体のフック係合部は、前記作業位置から収納位置に移動するフックの鉤部の移動軌跡上に位置するように設定されることを特徴とする請求項１乃至４の何れか一項に記載のフック収納部付バケットリンクである。
そして、この様にすることにより、フックを作業位置から収納位置に移動させると、該移動途中で鉤部がフック係合部に係合することになって、位置合わせ作業が必要なく、作業性に優れる。
請求項６の発明は、ラッチは、固定姿勢のカム体に係止するロック姿勢と係止しない非ロック姿勢とに揺動自在に構成されると共に、ロック姿勢のラッチを非ロック姿勢に揺動するべく操作される解除用ハンドルを設けたことを特徴とする請求項１乃至５の何れか一項に記載のフック収納部付バケットリンクである。
そして、この様にすることにより、解除用ハンドルによってラッチをロック姿勢から非ロック姿勢に揺動させるだけの簡単な操作で、ラッチによるカム体の固定姿勢保持を解除できることになり、而して、フックの固定解除作業を簡単且つ短時間で行うことができて、作業性の向上に大きく貢献できる。
請求項７の発明は、解除用ハンドルは、ラッチの揺動支軸を介してラッチに一体的に連結されると共に、該揺動支軸に対し、カム体への係止部位よりも外径側に位置するように設けられることを特徴とする請求項６に記載のフック収納部付バケットリンクである。
そして、この様にすることにより、ラッチを非ロック姿勢にするための解除用ハンドルの揺動操作を、軽い操作力で行うことができる。
請求項８の発明は、ラッチを、ロック姿勢側に付勢する弾機を設けたことを特徴とする請求項６または７に記載のフック収納部付バケットリンクである。
そして、この様にすることにより、ラッチを、固定姿勢のカム体に係止するロック姿勢に保持することができる。
請求項９の発明は、バケットリンクは、左右のリンク側板と、該左右のリンク側板同士を連結するリンク底面板とを用いて構成されると共に、フック収納部は、これら左右のリンク側板とリンク底面板とによって形成される空間部からなり、さらにフックは、前記リンク底面板に対して倒伏する姿勢でフック収納部に収納されることを特徴とする請求項１乃至８の何れか一項に記載のフック収納部付バケットリンクである。
そして、この様にすることにより、フックは、リンク底面板に対して倒伏する姿勢でフック収納部に収納されることになるから、起立姿勢で収納する場合のように左右のリンク側板の高さ寸法を高く設定する必要がなく、もって、フック収納部が設けられたフック収納部付バケットリンクであっても、可及的に小型化、軽量化に寄与できる。
【発明を実施するための最良の形態】
【０００５】
次に、本発明の実施の形態について、図面に基づいて説明する。図１において、１はクレーン機能付の油圧ショベルであって、該油圧ショベル１は、クローラ式の下部走行体２、該下部走行体２の上方に旋回自在に搭載される上部旋回体３、該上部旋回体３に装着される作業装置４等から構成されており、さらに該作業装置４は、基端部が上部旋回体３に揺動自在に連結されるブーム５、該ブーム５の先端部に揺動自在に連結されるアーム６、該アーム６の先端部に揺動自在に連結されるバケット７、上記ブーム５、アーム６、バケット７をそれぞれ揺動せしめるブームシリンダ８、アームシリンダ９、バケットシリンダ１０等の部材装置を備え、さらに後述するフック１１を備えて構成されている。
【０００６】
前記バケット７は、次のようにしてアーム６の先端部に連結されていると共に、バケットシリンダ１０の伸縮作動に伴って揺動するように構成されている。
つまり、バケット７の基端部には、左右一対の取付ブラケット１２（図１には、片方のみ図示）が溶接等により一体的に固着されているが、該取付ブラケット１２は、第一支軸１３を介してアーム６の先端部に揺動自在に連結されると共に、一端側が第二支軸１４を介してバケットシリンダ１０の先端部に揺動自在に連結されるバケットリンク１５の他端側に、第三支軸（本発明のバケットとバケットリンクとを揺動自在に連結する支軸に相当する）１６を介して揺動自在に連結されている。さらに、上記第二支軸１４には、一端側がアーム６の先端部に揺動自在に連結される左右の連結リンク１７（図１には、片方のみ図示）の他端側が連結されており、而してバケット７は、バケットシリンダ１０の伸縮作動に伴うバケットリンク１５および連結リンク１７のリンク作動によって、第一支軸１３を軸として揺動するように構成されている。
【０００７】
前記バケットリンク１５は、前述したように、一端側が第二支軸１４を介してバケットシリンダ１０の先端部に揺動自在に連結され、他端側が第三支軸１６を介してバケット７に揺動自在に連結されるリンクであるが、図２に示す如く、バケットリンク１５の一端側には、前記第二支軸１４が回動自在に軸承されるシリンダ連結用軸支部１８が形成され、また他端側には、前記第三支軸１６が回動自在に軸承されるバケット連結用軸支部１９が形成されている。
【０００８】
ここで、前記シリンダ連結用軸支部１８およびバケット連結用軸支部１９は、左右に二分割されている。そして、図示しないが、シリンダ連結用軸支部１８の左右両側には、前記左右の連結リンク１７が配される一方、二分割されたシリンダ連結用軸支部１８のあいだには、バケットシリンダ１０の先端部を第二支軸１４に回動自在に軸承するためのシリンダ軸支部（図示せず）が配されている。また、バケット連結用軸支部１９の左右両側には、前記左右の取付ブラケット１２が配される一方、二分割されたバケット連結用軸支部１９のあいだには、フック１１を第三支軸１６に回動自在に軸承するためのフック軸支部２０が配されている。
【０００９】
さらに、２１Ｌ、２１Ｒは前記シリンダ連結用軸支部１８とバケット連結用軸支部１９とを連結する左右のリンク側板、２２は左右のリンク側板２１Ｌ、２１Ｒ同士を連結するリンク底面板であって、これら左右のリンク側板２１Ｌ、２１Ｒとリンク底面板２２とによって断面略凵字形状の空間部が形成されており、そして該空間部が、フック１１が収納されるフック収納部２３になっている。
【００１０】
前記フック１１は、前述した第三支軸１６に回動自在に軸承されるフック軸支部２０、該フック軸支部２０に止着される支持ブラケット２４、該支持ブラケット２４に支持される吊環体２５、該吊環体２５の先端部に図示しない軸受を介して回転自在に支持される鉤部２６等から構成されているが、該鉤部２６は、吊荷作業を行う場合にワイヤロープ等を引っ掛けるものであって、ワイヤロープ等が鉤部２６から抜けるを防止するための抜け止め体２６ａを備えている。そしてこのフック１１は、第三支軸１６を軸としてフック軸支部２０が回動することで、前記バケットリンク１５のフック収納部２３から脱して吊荷作業を行う作業位置（図１参照）と、フック収納部２３に収納される収納位置（図２、図４参照）とのあいだを移動できるようになっているが、該収納位置のフック１１は、横向きに、つまり鉤部２６がリンク底面板２２に対して倒伏する姿勢（倒伏姿勢）でフック収納部２３に収納されるようになっている。
【００１１】
一方、図２〜図５に示す如く、前記フック収納部２３には、収納位置のフック１１を固定するための固定装置２７が設けられているが、該固定装置２７は、後述する弾性体２８、カム体２９、ラッチ３０等を用いて構成される。
【００１２】
前記弾性体２８は、弾性を有するラバーや樹脂等から形成されるものであって、倒伏姿勢でフック収納部２３に収納された鉤部２６の中央部（フック１１を図１に示す作業位置にしたときに下端となる部位）２６ｂが当接するように位置決めされた状態で、リンク底面板２２に止着されている。
【００１３】
ここで、前記鉤部２６の中央部２６ｂは、図３、図４および図６に示す如く、内側が太径で外側が細径に形成されており、該外側の細径部分２６ｃが、前記弾性体２８の上面部に当接するようになっている。
【００１４】
一方、３１Ｌ、３１Ｒはリンク底面板２２に立設される左右一対の第一ブラケットであって、フック収納部２３に収納された倒伏姿勢の鉤部２６の内径側に位置するように配されているが、該第一ブラケット３１Ｌ、３１Ｒには、カム体２９が揺動自在に軸承されるカムシャフト３２が取付支持されていると共に、ラッチ３０が一体的に固定されるラッチシャフト３３が回動自在に軸承されている。
【００１５】
前記カム体２９には、フック１１の鉤部２６に係合するフック係合部３４と、カム体２９を揺動させるべく操作される固定用ハンドル３５と、後述するラッチ３０の係止突部３６が係止するラッチ係止部３７と、該ラッチ係止部３７にラッチ３０の係止突部３６を導くカム面３８とが形成されている。そして該カム体２９は、前記カムシャフト３２を支軸として、フック係合部３４に鉤部２６を係脱自在に係合することができる解除姿勢（図３、図６（Ａ）参照）と、フック係合部３４に係合された鉤部２６を前記弾性体２８に押圧することで鉤部２６を保持固定する固定姿勢（図４、図６（Ｂ）参照）とに揺動自在に構成されている。さらに、３９は一端側が第一ブラケット３１Ｒに係止され他端側がカム体２９に係止されるカムスプリング（本発明の解除姿勢側に付勢する弾機に相当する）であって、該カムスプリング３９によってカム体２９は、常時解除姿勢側に向けて付勢されている。
【００１６】
ここで、前記フック係合部３４は、鉤部２６が係合しやすいようＵ溝形状をしているが、カム体２９が解除姿勢のときのフック係合部３４は、フック１１を作業位置から収納位置に移動させるときの鉤部２６の中央部２６ｂの移動軌跡Ｓ上に位置するように設定されている（図３参照）。而して、フック１１を作業位置から収納位置に移動させると、該移動途中で鉤部２６の中央部２６ｂがフック係合部３４に係合するようになっている。一方、カム体２９が固定姿勢のとき、フック係合部３４に係合された鉤部２６の中央部２６ｂは、外側の細径部分２６ｃがフック係合部３４から突出しており、そして該フック係合部３４から突出する細径部分２６ｃが弾性体２８の上面部に押圧状に当接するようになっている。この場合、弾性体２８は、鉤部２６の中央部２６ｂの細径部分２６ｃに押圧されて圧縮するようになっており、而して、該圧縮された弾性体２８によって、鉤部２６を弾性的に保持固定できるようになっている。
【００１７】
また、前記固定用ハンドル３５は、カム体２９が解除姿勢のときにリンク底面板２２に対して起立する解除位置（図３、図６（Ａ）参照）となり、カム体２９が固定姿勢のときにリンク底面板２２に対して倒伏する固定位置（図４、図６（Ｂ）参照）となるように設計されている。而して、解除位置の固定用ハンドル３５を固定位置まで揺動操作することによって、カム体２９を解除姿勢から固定姿勢に変姿せしめることができるようになっているが、該固定用ハンドル３５は、カム体２９の揺動支軸であるカムシャフト３２に対し、前記フック係合部３４よりも外径側に位置するように設けられている。これにより、カム体２９を解除姿勢から固定姿勢に揺動させるための固定用ハンドル３５の解除位置から固定位置への揺動操作は、前述したように弾性体２８を圧縮させるものであっても、軽い操作力で行うことができるようになっている。また、カム体２９の固定姿勢から解除姿勢への揺動は、後述するようにラッチ３０を非ロック姿勢にすることに伴い、カムスプリング３９の付勢力によって自動的に行われるように構成されている。
【００１８】
一方、ラッチ３０は、該ラッチ３０の先端部に前記カム体２９のラッチ係止部３７に係脱自在に係止する係止突部３６が形成されると共に、ラッチシャフト３３を支軸として、係止突部３６が前述した固定姿勢のカム体２９のラッチ係止部３７に係止するロック姿勢（図６（Ｂ）に実線で示す）と係止しない非ロック姿勢（図６（Ａ）に示すと共に、図６（Ｂ）に二点鎖線で示す）とに揺動自在に構成されている。さらに、４０は一端側が第一ブラケット３１Ｒに係止され他端側がラッチ３０に係止されるラッチスプリング（本発明のロック姿勢側に付勢する弾機に相当する）であって、該ラッチスプリング４０によってラッチ３０は、常時ロック姿勢側に向けて付勢されている。
【００１９】
ここで、前記ラッチ３０の係止突部３６は、カム体２９の解除姿勢では該カム体２９のカム面３８に当接していて非ロック姿勢になっている（図３、図６（Ａ）参照）が、カム体２９が解除姿勢から固定姿勢に揺動することに伴いカム面３８によってラッチ係止部３７まで導かれ、カム体２９が固定姿勢になったときにラッチ係止部３７に係止するロック姿勢に変姿する（図４、図６（Ｂ）の実線参照）ように構成されている。そして、該ラッチ３０のロック姿勢は前記ラッチスプリング４０によって保持されると共に、ラッチ３０の係止突部３６が固定姿勢のカム体２９のラッチ係止部３７に係止することで、カム体２９の固定姿勢から解除姿勢への揺動が規制され、而してカム体２９は固定姿勢に保持されるようになっている。
【００２０】
さらに、前記ラッチ３０の支軸となるラッチシャフト３３は、片方の第一ブラケット３１Ｒを貫通して、リンク底面板２２に立設される第二ブラケット４１に回動自在に軸承されているが、該第二ブラケット４１を貫通したラッチシャフト３３の先端部には、解除用ハンドル４２が一体的に固定されている。つまり、解除用ハンドル４２は、ラッチシャフト３３を介してラッチ３０に一体的に連結されているが、該解除用ハンドル４２は、前記ロック姿勢のラッチ３０を非ロック姿勢に変姿させるべく操作される。
【００２１】
ここで、前記解除用ハンドル４２は、ラッチ３０がロック姿勢のときにリンク底面板２２に対して倒伏するロック位置（図６（Ｂ）に実線で示す）となり、ラッチ３０が非ロック姿勢のときにはロック位置よりも起立する非ロック位置となる（図６（Ａ）に示すと共に、図６（Ｂ）に二点鎖線で示す）ように設計されている。而して、ロック位置の解除用ハンドル４２を非ロック位置に揺動操作することによって、ラッチ３０をラッチスプリング４０の付勢力に抗してロック姿勢から非ロック姿勢に変姿せしめることができるようになっているが、該解除用ハンドル４２は、解除用ハンドル４２およびラッチ３０の揺動支軸であるラッチシャフト３３に対し、ラッチ３０先端部の係止突部３６よりも外径側に位置するように設けられている。これにより、ラッチ３０をロック姿勢から非ロック姿勢に揺動させるための解除用ハンドル４２のロック位置から非ロック位置への揺動操作を、軽い操作力で行うことができるようになっている。そして、前記解除用ハンドル４２の操作によってラッチ３０をロック姿勢から非ロック姿勢に変姿せしめることに伴い、前述したラッチ３０によるカム体２９の固定姿勢保持が解除され、而してカム体２９は、カムスプリング３９の付勢力によって自動的に固定姿勢から解除姿勢に変姿するようになっている。
【００２２】
叙述の如く構成された本形態において、一端側がバケットシリンダ１０に揺動自在に連結され、他端側がバケット７に揺動自在に連結されるバケットリンク１５には、左右のリンク側板２１Ｌ、２１Ｒと該左右のリンク側板２１Ｌ、２１Ｒ同士を連結するリンク底面板２２とによって断面略凵字形状のフック収納部２３が形成されており、そして、該フック収納部２３に、不使用時のフック１１が収納されることになるが、該フック１１は、鉤部２６がリンク底面板２２に対して倒伏する倒伏姿勢でフック収納部２３に収納されると共に、固定装置２７により固定されることになる。該固定装置２７は、バケットリンク１５のリンク底面板２２に止着される弾性体２８と、フック１１の鉤部２６に係合するフック係合部３４が形成されると共に、解除姿勢と固定姿勢とに揺動自在なカム体２９と、固定姿勢のカム体２９に係止してカム体２９を固定姿勢に保持するラッチ３０とを用いて構成されるが、前記カム体２９の解除姿勢では、鉤部２６をフック係合部３４に係脱自在に係合できる一方、固定姿勢では、フック係合部３４に係合された鉤部２６を前記弾性体２８に押圧することで鉤部２６を保持固定することになる。
【００２３】
この結果、フック１１は、フック係合部３４に係合された鉤部２６が弾性体２８に押圧されることで確実に保持固定されることになるが、この場合、鉤部２６が押圧されるのは弾性を有した弾性体２８であるから、掘削等の作業を行うような場合にフック収納部２３に収納されたフック１１がガタつくことなく、ガタつきに起因する騒音やフック１１の損傷を確実に防止することができる。
【００２４】
しかもこのものにおいて、フック１１は、鉤部２６がリンク底面板２２に対して倒伏する倒伏姿勢でフック収納部２３に収納される構成になっているから、鉤部２６を起立姿勢で収納する場合のように左右のリンク側板２１Ｌ、２１Ｒの高さ寸法を高く設定する必要がなく、もって、フック収納部２３が設けられたフック収納部付バケットリンク１５であっても、可及的に小型化、軽量化に寄与できる。
【００２５】
さらにこのものにおいて、フック１１は、バケット７とバケットリンク１５とを揺動自在に連結する第三支軸１６に、吊荷作業を行う作業位置とフック収納部２３に収納される収納位置とに移動自在に軸承されているが、前記解除姿勢のカム体２９のフック係合部３４は、作業位置から収納位置に移動する鉤部２６の移動軌跡Ｓ上に位置するように設定されており、而して、フック１１を作業位置から収納位置に移動させると、該移動途中で鉤部２６がフック係合部３４に係合することになって、位置合わせ作業が必要なく、作業性に優れる。
【００２６】
そのうえ、フック係合部３４は、鉤部２６の中央部（フック１１を図１に示す作業位置にしたときに下端となる部位）２６ｂに係合する構成になっているから、鉤部２６をフック係合部３４に係合するときに鉤部２６の先端が左右何れを向いている状態でも良く、更なる作業性の向上に寄与できる。
【００２７】
また、カム体２９には、解除姿勢のカム体２９を固定姿勢に揺動するべく操作される固定用ハンドル３５が設けられており、而して、該固定用ハンドル３５を揺動操作するだけの簡単な操作だけで、カム体２９を固定姿勢にして鉤部２６の保持固定を行えることになって、フック１１の固定作業を簡単且つ短時間で行うことができ、作業性の向上に大きく貢献できる。
【００２８】
しかも、前記固定用ハンドル３５は、カム体２９の揺動支軸であるカムシャフト３２に対し、フック係合部３４よりも外径側に位置するように構成されているから、カム体２９を固定姿勢にするための固定用ハンドル３５の揺動操作は、鉤部２６を弾性体２８に押圧するものであっても、軽い操作力で行うことができる。
【００２９】
さらに、カム体２９は、カムスプリング３９によって解除姿勢側に付勢されているため、ラッチ３０によるカム体２９の固定姿勢保持が解除された状態では、自動的に固定姿勢から解除姿勢に復帰することになり、もって、カム体２９を解除姿勢に戻す操作を必要とせず、操作性に優れる。
【００３０】
一方、ラッチ３０は、ロック姿勢と非ロック姿勢とに揺動自在に構成されており、そして該ラッチ３０のロック姿勢では、ラッチ３０に形成の係止突部３６が固定姿勢のカム体２９のラッチ係止部３７に係止してカム体２９を固定姿勢に保持する一方、ラッチ３０の非ロック姿勢では、係止突部３６とラッチ係止部３７との係止が解除されて、ラッチ３０によるカム体２９の固定姿勢保持が解除されることになる。さらに、前記ラッチ３０のロック姿勢は、ラッチ３０をロック姿勢側に付勢するラッチスプリング４０によって保持されると共に、該ロック姿勢のラッチ３０を非ロック姿勢に揺動するべく操作される解除用ハンドル４２が、ラッチシャフト３３を介してラッチ３０に一体的に連結されている。
【００３１】
この結果、解除用ハンドル４２を揺動操作するだけの簡単な操作だけで、ラッチ３０によるカム体２９の固定姿勢保持が解除されてカム体２９を解除姿勢に変姿せしめることができることになり、而して、フック１１の固定解除作業を簡単且つ短時間で行うことができて、作業性の向上に大きく貢献できる。
【００３２】
しかも、前記解除用ハンドル４２は、該解除用ハンドル４２およびラッチ３０の揺動支軸であるラッチシャフト３３に対し、ラッチ３０の係止突部３６よりも外径側に位置するように構成されているから、ラッチ３０を非ロック姿勢にするための解除用ハンドル４２の揺動操作を、軽い操作力で行うことができる。
【図面の簡単な説明】
【００３３】
【図１】クレーン機能付の油圧ショベルの側面図である。
【図２】フックが固定された状態を示す斜視図である。
【図３】フックが固定される前の状態を示す側面図である。
【図４】フックが固定された状態を示す側面図である。
【図５】固定装置の平面図である。
【図６】（Ａ）はカム体が解除姿勢のときの固定装置の要部を示す図、（Ｂ）はカム体が固定姿勢のときの固定装置の要部を示す図である。
【符号の説明】
【００３４】
７              バケット
１０            バケットシリンダ
１１            フック
１５            バケットリンク
２１Ｌ、２１Ｒ  リンク側板
２２            リンク底面板
２３            フック収納部
２６            鉤部
２７            固定装置
２８            弾性体
２９            カム体
３０            ラッチ
３２            カムシャフト
３３            ラッチシャフト
３４            フック係合部
３５            固定用ハンドル
３９            カムスプリング
４０            ラッチスプリング
４２            解除用ハンドル
【図１】
2007161357.tif 000003
【図２】
2007161357.tif 000004
【図３】
2007161357.tif 000005
【図４】
2007161357.tif 000006
【図５】
2007161357.tif 000007
【図６】
2007161357.tif 000008